【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
眼鏡レンズに刻印されているレンズマークをデータベースと照合し、前記レンズマークに該当するレンズ情報を特定するレンズマーク照合装置であって、
前記データベースは、
前記レンズ情報を前記眼鏡レンズ毎に格納するレンズ情報記憶部と、
前記眼鏡レンズに刻印されている前記レンズマークおよびその刻印位置が示された刻印情報を前記眼鏡レンズ毎に格納する刻印情報記憶部と、を含んで構成されており、
前記眼鏡レンズに刻印されている前記レンズマークおよびその刻印位置の入力を受け付ける入力受付部と、
前記レンズマークおよび前記刻印位置の入力を前記入力受付部が受け付ける際に、その時点で入力済みの１または複数の前記レンズマークおよび前記刻印位置を検索キーワードとして、当該検索キーワードに該当する刻印情報を前記刻印情報記憶部から検索し、検索された刻印情報に基づいて、未入力の刻印位置に入力可能な前記レンズマークを特定し、当該レンズマークをユーザに提示する入力可能レンズマーク提示部と、
前記入力受付部が入力を受け付けた前記レンズマークおよび前記刻印位置を検索キーワードとして、当該検索キーワードに該当する前記刻印情報を前記刻印情報記憶部から検索し、検索された前記刻印情報に対応する前記レンズ情報を前記レンズ情報記憶部から検索するレンズ情報検索部と
を備えることを特徴とするレンズマーク照合装置。
【請求項２】
前記レンズ情報検索部は、
前記レンズマークおよび前記刻印位置の入力を前記入力受付部が受け付ける毎に、その時点で入力済みの１または複数の前記レンズマークおよび前記刻印位置を検索キーワードとして、当該検索キーワードに該当する前記レンズ情報の絞り込み検索を行う
ことを特徴とする請求項１に記載のレンズマーク照合装置。
【請求項３】
前記入力受付部は、
複数の刻印位置と同様に配列された複数の入力項目からなる入力行をディスプレイに表示して、当該入力行の任意の入力項目に前記レンズマークを入力させることによって、前記レンズマークおよびその刻印位置の入力を受け付けるようになされ、前記入力行においていずれかの前記入力項目を選択するためのカーソルの初期位置を、一方の前記眼鏡レンズでは、前記入力行の一端の入力項目とし、他方の前記眼鏡レンズでは、前記入力行の他端の入力項目とする
ことを特徴とする請求項１または２に記載のレンズマーク照合装置。
【請求項４】
サーバ装置が、ユーザ端末からの要求に応じて、眼鏡レンズに刻印されているレンズマークをデータベースと照合し、前記レンズマークに該当するレンズ情報を特定するレンズマーク照合システムであって、
前記データベースは、
前記レンズ情報を前記眼鏡レンズ毎に格納するレンズ情報記憶部と、
前記眼鏡レンズに刻印されている前記レンズマークおよびその刻印位置が示された刻印情報を前記眼鏡レンズ毎に格納する刻印情報記憶部と、を含んで構成されており、
前記ユーザ端末は、
前記眼鏡レンズに刻印されている前記レンズマークおよびその刻印位置のユーザ端末からの入力を受け付ける入力受付部と、
前記入力受付部が入力を受け付けた前記レンズマークおよびその刻印位置を前記サーバ装置へ送信する送信部と
前記レンズマークおよび前記刻印位置の入力を前記入力受付部が受け付ける際に、その時点で入力済みの１または複数の前記レンズマークおよび前記刻印位置を検索キーワードとして、当該検索キーワードに該当する刻印情報を前記刻印情報記憶部から検索し、検索された刻印情報に基づいて、未入力の刻印位置に入力可能な前記レンズマークを特定し、当該レンズマークをユーザに提示する入力可能レンズマーク提示部と、を備え、
前記サーバ装置は、
前記送信部によって送信された前記レンズマークおよび前記刻印位置を検索キーワードとして、当該検索キーワードに該当する前記刻印情報を前記刻印情報記憶部から検索し、検索された前記刻印情報に対応する前記レンズ情報を前記レンズ情報記憶部から検索するレンズ情報検索部と、
前記レンズ情報検索部によって検索された前記レンズ情報を前記ユーザ端末へ出力するレンズ情報出力部と、を備える
ことを特徴とするレンズマーク照合システム。
【請求項５】
前記レンズ情報検索部は、
前記レンズマークおよび前記刻印位置の入力を前記入力受付部が受け付ける毎に、その時点で入力済みの１または複数の前記レンズマークおよび前記刻印位置を検索キーワードとして、当該検索キーワードに該当する前記レンズ情報の絞り込み検索を行う
ことを特徴とする請求項４に記載のレンズマーク照合システム。
【請求項６】
前記入力受付部は、
複数の刻印位置と同様に配列された複数の入力項目からなる入力行をディスプレイに表示して、当該入力行の任意の入力項目に前記レンズマークを入力させることによって、前記レンズマークおよびその刻印位置の入力を受け付けるようになされ、前記入力行においていずれかの前記入力項目を選択するためのカーソルの初期位置を、一方の前記眼鏡レンズでは、前記入力行の一端の入力項目とし、他方の前記眼鏡レンズでは、前記入力行の他端の入力項目とする
ことを特徴とする請求項４または５に記載のレンズマーク照合システム。
【請求項７】
レンズ情報を眼鏡レンズ毎に格納するレンズ情報記憶部と、レンズマークおよびその刻印位置が示された刻印情報を前記眼鏡レンズ毎に格納する刻印情報記憶部と、を含んで構成されたデータベースを用いて、眼鏡レンズに刻印されているレンズマークを前記データベースと照合し、前記レンズマークに該当するレンズ情報を特定するレンズマーク照合方法であって、
レンズマーク照合装置の入力受付部が、前記眼鏡レンズに刻印されている前記レンズマークおよびその刻印位置の入力を受け付ける入力受付工程と、
前記レンズマーク照合装置の入力可能レンズマーク提示部が、前記レンズマークおよび前記刻印位置の入力を前記入力受付部が受け付ける際に、その時点で入力済みの１または複数の前記レンズマークおよび前記刻印位置を検索キーワードとして、当該検索キーワードに該当する刻印情報を前記刻印情報記憶部から検索し、検索された刻印情報に基づいて、未入力の刻印位置に入力可能な前記レンズマークを特定し、当該レンズマークをユーザに提示する入力可能レンズマーク提示工程と、
前記レンズマーク照合装置のレンズ情報検索部が、前記入力受付部が入力を受け付けた前記レンズマークおよび前記刻印位置を検索キーワードとして、当該検索キーワードに該当する前記刻印情報を前記刻印情報記憶部から検索し、検索された前記刻印情報に対応する前記レンズ情報を前記レンズ情報記憶部から検索するレンズ情報検索工程と
を含むことを特徴とするレンズマーク照合方法。
【請求項８】
前記レンズ情報検索工程では、
前記レンズマークおよび前記刻印位置の入力を前記入力受付部が受け付ける毎に、その時点で入力済みの１または複数の前記レンズマークおよび前記刻印位置を検索キーワードとして、当該検索キーワードに該当する前記レンズ情報の絞り込み検索を行う
ことを特徴とする請求項７に記載のレンズマーク照合方法。
【請求項９】
前記入力受付工程では、
複数の刻印位置と同様に配列された複数の入力項目からなる入力行をディスプレイに表示して、当該入力行の任意の入力項目に前記レンズマークを入力させることによって、前記レンズマークおよびその刻印位置の入力を受け付けるようになされ、前記入力行においていずれかの前記入力項目を選択するためのカーソルの初期位置を、一方の前記眼鏡レンズでは、前記入力行の一端の入力項目とし、他方の前記眼鏡レンズでは、前記入力行の他端の入力項目とする
ことを特徴とする請求項７または８に記載のレンズマーク照合方法。
【請求項１０】
レンズ情報を眼鏡レンズ毎に格納するレンズ情報記憶部と、レンズマークおよびその刻印位置が示された刻印情報を前記眼鏡レンズ毎に格納する刻印情報記憶部と、を含んで構成されたデータベースを用いて、眼鏡レンズに刻印されているレンズマークを前記データベースと照合し、前記レンズマークに該当するレンズ情報を特定するレンズマーク照合用プログラムであって、
前記眼鏡レンズに刻印されている前記レンズマークおよびその刻印位置の入力を受け付ける入力受付部、
前記レンズマークおよび前記刻印位置の入力を前記入力受付部が受け付ける際に、その時点で入力済みの１または複数の前記レンズマークおよび前記刻印位置を検索キーワードとして、当該検索キーワードに該当する刻印情報を前記刻印情報記憶部から検索し、検索された刻印情報に基づいて、未入力の刻印位置に入力可能な前記レンズマークを特定し、当該レンズマークをユーザに提示する入力可能レンズマーク提示部、および、
前記入力受付部が入力を受け付けた前記レンズマークおよび前記刻印位置を検索キーワードとして、当該検索キーワードに該当する前記刻印情報を前記刻印情報記憶部から検索し、検索された前記刻印情報に対応する前記レンズ情報を前記レンズ情報記憶部から検索するレンズ情報検索部
としてコンピュータを機能させるためのレンズマーク照合用プログラム。
【請求項１１】
前記レンズ情報検索部は、
前記レンズマークおよび前記刻印位置の入力を前記入力受付部が受け付ける毎に、その時点で入力済みの１または複数の前記レンズマークおよび前記刻印位置を検索キーワードとして、当該検索キーワードに該当する前記レンズ情報の絞り込み検索を行う
ことを特徴とする請求項１０に記載のレンズマーク照合用プログラム。
【請求項１２】
前記入力受付部は、
複数の刻印位置と同様に配列された複数の入力項目からなる入力行をディスプレイに表示して、当該入力行の任意の入力項目に前記レンズマークを入力させることによって、前記レンズマークおよびその刻印位置の入力を受け付けるようになされ、前記入力行においていずれかの前記入力項目を選択するためのカーソルの初期位置を、一方の前記眼鏡レンズでは、前記入力行の一端の入力項目とし、他方の前記眼鏡レンズでは、前記入力行の他端の入力項目とする
ことを特徴とする請求項１０または１１に記載のレンズマーク照合用プログラム。
【手続補正２】
【補正対象書類名】明細書
【補正対象項目名】００１１
【補正方法】変更
【補正の内容】
【００１１】
上記した課題を解決するために、本発明は、レンズ情報を眼鏡レンズ毎に格納するレンズ情報記憶部と、レンズマークおよびその刻印位置が示された刻印情報を眼鏡レンズ毎に格納する刻印情報記憶部と、を含んで構成されたデータベースを用いて、眼鏡レンズに刻印されているレンズマークをデータベースと照合し、レンズマークに該当するレンズ情報を特定する発明であって、眼鏡レンズに刻印されているレンズマークおよびその刻印位置の入力を受け付けて、入力を受け付けたレンズマークおよび刻印位置を検索キーワードとして、当該検索キーワードに該当する刻印情報を刻印情報記憶部から検索し、検索された刻印情報に対応するレンズ情報をレンズ情報記憶部から検索するようにしている。また、本発明では、レンズマークおよび刻印位置の入力を受け付ける際に、その時点で入力済みの１または複数のレンズマークおよび刻印位置を検索キーワードとして、当該検索キーワードに該当する刻印情報を刻印情報記憶部から検索し、検索された刻印情報に基づいて、未入力の刻印位置に入力可能な前記レンズマークを特定し、当該レンズマークをユーザに提示するようにしている。